(57)【要約】      （修正有）【課題】忠実度の高い再生を実現するＭＭ型カートリッジの構造を提供する。【解決手段】信号系の支点を明確にするため、サスペンションワイヤーを使い、しかも短めにする。バルクハウゼン効果の排除のため、ヨークやコアに磁性体を使わない空芯コイルにする。【効果】金属疲労によるコイル断線の確立を下げ、信頼性を向上させる。針交換を簡単にしてユーザーの便宜を図る。【選択図】なし【特許請求の範囲】
【請求項１】
カートリッジのスタイラスで拾ったレコード振動がカンチレバーを通って鍔に取り付けられたマグネットを動かし、鍔の中心付近は細くて短いサスペンションワイヤーを通って引っ張られ、カートリッジボディーに固定され、マグネットは後方から前方に、あるいはその逆方向に磁化され、ステレオタイプでは前方から見て支点の上方に左右４５度ずつの角度で２個のマグネットが配置され、コイルがマグネットの前方または後方の少なくともいずれか一方に設置することを特徴とするＭＭ型カートリッジ構造。
【請求項２】
コイルが空芯コイルであることを特徴とする請求項１に記載のカートリッジ。
【請求項３】
カートリッジのスタイラスで拾ったレコード振動がカンチレバーを通って鍔に取り付けられたマグネットを動かし、鍔の中心付近は細くて短いサスペンションワイヤーを通って引っ張られ、カートリッジボディーに固定され、マグネットは鍔の上方に前方から見て左右４５度のＶ字上に配置し、磁束はＶ字方向または逆方向に磁化され、空芯コイルをマグネット前方または後方の少なくともいずれか一方に配置するか、あるいは１つの空芯コイルをマグネットの上方に配置することを特徴とするＭＭ型カートリッジ構造。
【発明の詳細な説明】
【技術分野】
【０００１】  本発明はレコード再生用のカートリッジに関する。
【背景技術】
【０００２】  従来からカートリッジの方式として電磁型ではＭＭ型（ムービングマグネット）やＭＣ（ムービングコイル）型があり、コンデンサー型なら高周波型やエレクトレット型、また圧電型や光電型がある。ここでは特殊なイコライザーを必要とせず、しかも高音質が得られる電磁型について述べる。電磁型で最も高音質とされているのが空芯ＭＣ型で、これらと同等音質を得ることが可能なＭＭ型の構造を本発明は提供する。
【発明の概要】
【発明が解決しようとする課題】
【０００３】  従来のＭＭ型カートリッジの構造を図３に示す。スタイラス１が拾ったレコードの振動はカンチレバー２を通ってマグネット４を動かす。マグネットの外をダンパー７が包んでいる。ヨーク１０がマグネットをぐるっと囲んでヨークの周りにコイル８が巻かれていて、コイルの両端は端子９に接続されている。勿論これで普通の音質なら再生できる。しかし、この構造は針先が強く引っ張られると前にカンチレバーがせり出す動作をするので、支点は明確でない。レコードの摩擦はフォルテで大きくなりピアニッシモでは小さくなる。そのため音楽ではカンチレバーが前後に動いて時間軸の変調が起きるので、忠実度は制限される。【０００４】  次なる問題はヨークにたくさんのコイルを巻くことにより、出力電圧を稼ぎ、このことで使いやすさの向上をもたらせてはいるものの、忠実度の観点からはバルクハウゼンノイズが生じてやはり忠実度は制限される。バルクハウゼンノイズはＭＭカートリッジ、たとえばＳＨＵＲＥ社のＭ４４シリーズの針を取り去って音量を上げ、そこにマグネットを遠ざけたり近づけたりすれば簡単にそのザラザラした音を聞くことができる。【０００５】  忠実な音を再生するにはいくつかの条件を満たす必要がある。第一は信号系の支点を明確にすること。そのためにはサスペンションワイヤーを短めに使う。第二はバルクハウゼン効果の排除である。ヨークやコアには磁性体を使わない空芯コイルにすることでバルクハウゼンノイズは無くなるが、出力電圧は小さくなってしまう。しかし、現在のアンプ技術はこれを補える。空芯ＭＣ型では支点の明確さとバルクハウゼンノイズの排除を満たすものもある。しかしＭＣ型は動くコイルを固定した端子まで配線するので組み立ても難しいし、価格も高くなりがちで、長年使用するとコイルの引き出し部分が金属疲労によって断線する恐れすらある。
【課題を解決するための手段】
【０００６】  第１の発明はスタイラス１で拾ったレコードの振動はカンチレバー２を通って鍔３に取り付けられたマグネット４を動かす。鍔３の中心付近は細くて短いサスペンションワイヤー５が通って引っ張られ、カートリッジボディー６に固定される。サスペンションワイヤー５のフレキシブッルな部分が支点かのようにふるまい明確な振動をする。鍔３の後方はリング状のダンパー７が配置され、余計な共振を抑える。ダンパーの素材はゴムのような弾性体が使われることが多いが、特に材質を規定するものではない。【０００７】  マグネット４は後方から前方に、あるいはその逆方向に磁束が通るように磁化されている。ステレオタイプでは前方から見て支点の上方に左右４５度ずつの角度で２個のマグネットが配置される。そのため音溝の振動によってマグネット４は前後に動くことになる。図ではドーナツ状のコイル８がマグネットの前方のみに設置されているが、マグネット４の後方か、後方と前方との双方にコイル８を配置する構造でもかまわない。コイルの両端は端子９に接続されている。この構造の特徴を纏めれば支点が明確になり、コイルを２個または４個使うＭＭ型といえる。マグネットを２個にするのはコイルの近くだけにマグネットを配置すればよいので、２つに分けた方が振動系の質量軽減が可能になり、音溝への追従性を向上させられる。コイルに鉄心が入る構造は出力電圧を大きくできる特徴があり、これも可能ではあるが、音質の観点からは空芯が望ましい。ここでいう空芯とは磁性体を使わないという意味である。【０００８】  第２の発明はスタイラス１で拾ったレコードの振動はカンチレバー２を通って鍔３に取り付けられたマグネット４を動かす。マグネット４は鍔３の上方に前方から見て左右４５度のＶ字上に配置し、磁束はＶ字方向またはその逆方向になる。コイル８はマグネット４の前と後にまたがるように配置する。その場合、２つのコイルを直列にすることで電圧を加算する方向に配置しても良いし、前方か後方の一方だけでも良いし、あるいは１つのコイルを捻って８の字状にし、それをマグネットの前後に被せるように配置しても良い。または１つのコイルをマグネットの上に配置しても良い。【０００９】  通常のＭＭ型あるいはＩＭ（インデユーストマグネット）型は出力電圧を稼ぐために磁性体でできたヨークにコイルをたくさん巻く構造をとるが、磁性体のバルクハウゼンノイズが生じ、厳密には良質な音質の妨げとなる。
空芯ＭＣ構造もバルクハウゼンノイ問題はないが、動くコイルを端子にまで導くには製造上の困難さもある。また長年使うと金属疲労で断線するリスクもある。針は摩擦で消耗し、針を交換する必要が生じるが、ＭＣ型はやはり針交換が困難である。ＭＭ型は針交換がずっと簡単になり、ユーザーの負担は少なく、本発明はこれらの問題を解決しながらも高音質を提供するものである。
【発明の効果】
【００１０】  支点か明確になることで、曖昧さの無いクリアなサウンドが得られる。またバルクハウゼンノイズの無いことも相まってより一層クリアなサウンドが得られる。前者は低域に効果的で後者は高域に効果的である。
【産業上の利用可能性】
【００１１】  金属疲労による断線のリスクは減るので信頼性が向上する。これは業務用のような信頼性が要求される用途では極めて重要である。針交換はＭＣ型に比べて簡単になるので、ユーザーの負担が軽減される。
【図面の簡単な説明】
【図１ａ】本発明の第１の実施形態を示す図である。
【図１ｂ】本発明の第１の実施形態を示す図である。
【図２ａ】本発明の第２の実施形態を示す図である。
【図２ｂ】本発明の第２の実施形態を示す図である。
【符号の説明】
【００１２】１    スタイラス
２    カンチレバー
３    鍔
４    マグネット
５    サスペンションワイヤー
６    カートリッジボディー
７    ダンパー
８    コイル
９    端子
１０  ヨーク
2018181399.tif 000002
2018181399.tif 000003
2018181399.tif 000004
【手続補正書】
【提出日】平成29年7月19日(2017.7.19)
【手続補正１】
【補正対象書類名】明細書
【補正対象項目名】全文
【補正方法】変更
【補正の内容】
【発明の詳細な説明】
【技術分野】
【０００１】
本発明はレコード再生用のカートリッジに関する。
【背景技術】
【０００２】
従来からカートリッジの方式として電磁型ではＭＭ型(ムービングマグネット)やＭＣ(ムービングコイル)型があり、コンデンサー型なら高周波型やエレクトレット型、また圧電型や光電型がある。ここでは特殊なイコライザーを必要とせず、しかも高音質が得られる電磁型について述べる。電磁型で最も高音質とされているのが空芯ＭＣ型で、これらと同等音質を得ることが可能なＭＭ型の構造を本発明は提供する。
【発明の概要】
【発明が解決しようとする課題】
【０００３】
従来のＭＭ型カートリッジの構造を図３に示す。スタイラス１が拾ったレコードの振動はカンチレバー２を通ってマグネット４を動かす。マグネットの外をダンパー７が包んでいる。ヨーク１０がマグネットをぐるっと囲んでヨークの周りにコイル８が巻かれていて、コイルの両端は端子９に接続されている。勿論これで普通の音質なら再生できる。しかし、この構造は針先が強く引っ張られると前にカンチレバーがせり出す動作をするので、支点は明確でない。レコードの摩擦はフォルテで大きくなりピアニッシモでは小さくなる。そのため音楽ではカンチレバーが前後に動いて時間軸の変調が起きるので、忠実度は制限される。
【０００４】
次なる問題はヨークにたくさんのコイルを巻くことにより、出力電圧を稼ぎ、このことで使いやすさの向上をもたらせてはいるものの、忠実度の観点からはバルクハウゼンノイズが生じてやはり忠実度は制限される。バルクハウゼンノイズはＭＭカートリッジ、たとえばＳＨＵＲＥ社のＭ４４シリーズの針を取り去って音量を上げ、そこにマグネットを遠ざけたり近づけたりすれば簡単にそのザラザラした音を聞くことができる。
【０００５】
忠実な音を再生するにはいくつかの条件を満たす必要がある。第一は信号系の支点を明確にすること。そのためにはサスペンションワイヤーを短めに使う。第二はバルクハウゼン効果の排除である。ヨークやコアには磁性体を使わない空芯コイルにすることでバルクハウゼンノイズは無くなるが、出力電圧は小さくなってしまう。しかし、現在のアンプ技術はこれを補える。空芯MC型では支点の明確さとバルクハウゼンノイズの排除を満たすものもある。しかしMC型は動くコイルを固定した端子まで配線するので組み立ても難しいし、価格も高くなりがちで、長年使用するとコイルの引き出し部分が金属疲労によって断線する恐れすらある。
【課題を解決するための手段】
【０００６】
第１の発明はスタイラス１で拾ったレコードの振動はカンチレバー２を通って鍔３に取り付けられたマグネット４を動かす。鍔３の中心付近は細くて短いサスペンションワイヤー５が通って引っ張られ、カートリッジボディー６に固定される。サスペンションワイヤー５のフレキシブッルな部分が支点かのようにふるまい明確な振動をする。鍔３の後方はリング状のダンパー７が配置され、余計な共振を抑える。ダンパーの素材はゴムのような弾性体が使われることが多いが、特に材質を規定するものではない。
【０００７】
マグネット４は後方から前方に、あるいはその逆方向に磁束が通るように磁化されている。ステレオタイプでは前方から見て支点の上方に左右45度ずつの角度で２個のマグネットが配置される。そのため音溝の振動によってマグネット４は前後に動くことになる。図ではドーナツ状のコイル８がマグネットの前方のみに設置されているが、マグネット４の後方か、後方と前方との双方にコイル８を配置する構造でもかまわない。コイルの両端は端子９に接続されている。この構造の特徴を纏めれば支点が明確になり、コイルを２個または４個使うＭＭ型といえる。マグネットを２個にするのはコイルの近くだけにマグネットを配置すればよいので、２つに分けた方が振動系の質量軽減が可能になり、音溝への追従性を向上させられる。コイルに鉄心が入る構造は出力電圧を大きくできる特徴があり、これも可能ではあるが、音質の観点からは空芯が望ましい。ここでいう空芯とは磁性体を使わないという意味である。
【０００８】
第２の発明はスタイラス１で拾ったレコードの振動はカンチレバー２を通って鍔３に取り付けられたマグネット４を動かす。マグネット４は鍔３の上方に前方から見て左右45度のＶ字上に配置し、磁束はＶ字方向またはその逆方向になる。コイル８はマグネット４の前と後にまたがるように配置する。その場合、２つのコイルを直列にすることで電圧を加算する方向に配置しても良いし、前方か後方の一方だけでも良いし、あるいは1つのコイルを捻って8の字状にし、それをマグネットの前後に被せるように配置しても良い。または1つのコイルをマグネットの上に配置しても良い。
【０００９】
通常のＭＭ型あるいはＩＭ(インデユーストマグネット)型は出力電圧を稼ぐために磁性体でできたヨークにコイルをたくさん巻く構造をとるが、磁性体のバルクハウゼンノイズが生じ、厳密には良質な音質の妨げとなる。
空芯ＭＣ構造もバルクハウゼンノイ問題はないが、動くコイルを端子にまで導くには製造上の困難さもある。また長年使うと金属疲労で断線するリスクもある。針は摩擦で消耗し、針を交換する必要が生じるが、ＭＣ型はやはり針交換が困難である。ＭＭ型は針交換がずっと簡単になり、ユーザーの負担は少なく、本発明はこれらの問題を解決しながらも高音質を提供するものである。
【発明の効果】
【００１０】
支点か明確になることで、曖昧さの無いクリアなサウンドが得られる。またバルクハウゼンノイズの無いことも相まってより一層クリアなサウンドが得られる。前者は低域に効果的で後者は高域に効果的である。
【産業上の利用可能性】
【００１１】
金属疲労による断線のリスクは減るので信頼性が向上する。これは業務用のような信頼性が要求される用途では極めて重要である。針交換はＭＣ型に比べて簡単になるので、ユーザーの負担が軽減される。
【図面の簡単な説明】
【００１２】
【図１】（ａ）は、本発明の第１の実施形態を示す図である。（ｂ）は、本発明の第１の実施形態を示す図である。
【図２】（ａ）は、本発明の第２の実施形態を示す図である。（ｂ）は、本発明の第２の実施形態を示す図である。
【図３】（ａ）は、本発明の第３の実施形態を示す図である。（ｂ）は、本発明の第３の実施形態を示す図である。
【符号の説明】
【００１３】
１    スタイラス
２    カンチレバー
３    鍔
４    マグネット
５    サスペンションワイヤー
６    カートリッジボディー
７    ダンパー
８    コイル
９    端子
１０  ヨーク
【手続補正２】
【補正対象書類名】図面
【補正対象項目名】全図
【補正方法】変更
【補正の内容】
【図１】
2018181399.tif 000005
【図２】
2018181399.tif 000006
【図３】
2018181399.tif 000007